(57)【要約】【課題】 デジタル放送を受信できる携帯電話において、ユーザは１枚のＳＩＭカードを所持するだけで、この移動体通信端末を使用して無線通話とデジタル放送の受信とが行える携帯電話およびＳＩＭカードを提供する。【解決手段】  デジタル放送受信機と携帯電話の２つ動作モードを有するデジタル放送電話１０にはＳＩＭカード２０が内蔵される。ＳＩＭカード２０は、デジタル放送受信機として使用するときに動作する第１のアプリケーションと、携帯電話として使用するときに動作する第２のアプリケーションとを有している。デジタル放送電話１０のＳＩＭコントローラ１２０は、ユーザが操作ボタン１０を使用して設定する動作モードに応じて、ＳＩＭカード２０が有する第１のアプリケーションと第２のアプリケーションとを切替える。【選択図】      図１
2006238247.tif 000002
【特許請求の範囲】
【請求項１】
デジタル放送受信機と携帯電話の２つ動作モードを有する移動体通信端末において、前記移動体通信端末に内蔵されるＳＩＭカードは、デジタル放送受信機として使用するときに動作する第１のアプリケーションと、携帯電話として使用するときに動作する第２のアプリケーションとを備え、前記移動体通信端末は、前記移動体通信端末のユーザが前記動作モードを設定する動作モード設定手段と、前記動作モード設定手段が設定した内容に応じて、前記ＳＩＭカードが有する第１のアプリケーションと第２のアプリケーションとを切替えて実行するＳＩＭカード制御手段とを兼ね備えたことを特徴とする移動体通信端末。
【請求項２】
請求項１に記載の移動体通信端末において、前記移動体通信端末は、少なくとも、デジタル放送のデータを外部装置に出力する外部出力手段を備えていること特徴とする移動体通信端末。
【請求項３】
請求項１または請求項２のいずれかに記載の移動体通信端末に装着されるＳＩＭカードであって、前記移動体通信端末がデジタル放送受信機として使用されるときに動作する第１のアプリケーションと、携帯電話として使用されるときに動作する第２のアプリケーションとを備えたＳＩＭカード。
【発明の詳細な説明】
【技術分野】
【０００１】
本発明は、無線通信を利用し携帯可能な電話機である携帯電話に関し、更に詳しくは、デジタル放送を受信するデジタル放送受信機を兼ね備えた携帯電話、この携帯電話に内蔵されるＳＩＭカードに関する。
【背景技術】
【０００２】
日本国内における携帯電話の普及は目覚しく、日本国内での携帯電話契約数は７０００万人を超えるまでに到り、携帯電話の利便性を高めるべく、地下街や店舗内も含め、携帯電話の基地局が日本全土をカバーするように設置されている。
【０００３】
この携帯電話の基地局を利用して、２００３年１２月から放送が開始されたデジタル放送（地上波デジタル放送）を携帯電話に配信し、携帯電話でデジタル放送を鑑賞できるようにする試みがなされている（例えば、特許文献１）。デジタル放送では、受信機の小型化および省電力化が図れるため、ＰＤＡ（Personal Digital Assistance）や携帯電話でデジタル放送の受信が可能となる。
【０００４】
特許文献１に記載された技術を用いれば、確かに、携帯電話でデジタル放送を鑑賞できるようになるが、ＳＩＭ（Subscriber Identity Module）カードとも呼ばれるＩＣカードを、携帯電話として使用するときとデジタル放送受信機として使用するときで併用できない問題がある。
【０００５】
第３世代携帯電話（３Ｇ）においては、携帯電話番号や電話帳などが記憶され、ＵＩＭ（User Identity Module）カードとも称されるＳＩＭカードが、携帯電話の端末に装着される。また、デジタル放送受信機においては、デジタル放送のデジタルコンテンツ（音声や映像など）の復号する暗号鍵などを記憶し、携帯電話とは異なった機能を有するＢ−ＣＡＳカード（BS-Conditional Access Systems Card）が、デジタル放送受信機に装着される。
【０００６】
加えて、特許文献１に記載された技術では、受信したデジタル放送を閲覧できる装置は携帯電話のみであって、携帯電話で受信したデジタル放送を他の装置（例えば、モニター）などで閲覧できない問題もある。
【特許文献１】特開２００５−２６９１４号公報
【発明の開示】
【発明が解決しようとする課題】
【０００７】
そこで、本発明は、デジタル放送を受信できる機能を備え、携帯電話に代表される移動体通信端末において、ユーザは１枚のＳＩＭカードを所持するだけで、この移動体通信端末を使用して無線による通話とデジタル放送の受信とが行える移動体通信端末およびこの移動体通信端末に装着されるＳＩＭカードを提供することを目的とする。更には、ユーザが、移動体通信端末で受信したデジタル放送を他の装置でも閲覧することができる移動体通信端末を提供することも目的とする。
【課題を解決するための手段】
【０００８】
上述した問題を解決する第１の発明は、デジタル放送受信機と携帯電話の２つ動作モードを有する移動体通信端末において、前記移動体通信端末に内蔵されるＳＩＭカードは、デジタル放送受信機として使用するときに動作する第１のアプリケーションと、携帯電話として使用するときに動作する第２のアプリケーションとを備え、前記移動体通信端末は、前記移動体通信端末のユーザが前記動作モードを設定する動作モード設定手段と、前記動作モード設定手段が設定した内容に応じて、前記ＳＩＭカードが有する第１のアプリケーションと第２のアプリケーションとを切替えて実行するＳＩＭカード制御手段とを兼ね備えたことを特徴とする移動体通信端末である。
【０００９】
第１の発明によれば、前記移動体通信端末が前記動作モード設定手段と前記ＳＩＭカード制御手段とを備えることで、前記移動体通信端末の前記動作モードに応じて、前記ＳＩＭカードの機能を切替えることができる。
【００１０】
好ましくは第１の発明において、前記移動体通信端末は、少なくとも、デジタル放送のデータを外部装置に出力する外部出力手段を備えていることが望ましい。前記移動体通信手段が前記外部出力手段を備えることで、前記移動体通信端末で受信したデジタル放送を他の装置で閲覧することが可能となる。
【００１１】
第１の発明に記載の移動体通信端末に装着されるＳＩＭカードであって、前記移動体通信端末がデジタル放送受信機として使用されるときに動作する第１のアプリケーションと、携帯電話として使用されるときに動作する第２のアプリケーションとを備えたＳＩＭカードである。
【発明の効果】
【００１２】
そこで、本発明は、デジタル放送を受信できる機能を備え、携帯電話に代表される移動体通信端末において、ユーザは１枚のＳＩＭカードを所持するだけで、この移動体通信端末を使用して無線による通話とデジタル放送の受信とが行える移動体通信端末およびこの移動体通信端末に装着されるＳＩＭカードを提供できる。更には、ユーザが、移動体通信端末で受信したデジタル放送を他の装置でも閲覧することができる移動体通信端末をも提供目できる。
【発明を実施するための最良の形態】
【００１３】
ここから、本発明に係り、デジタル放送受信機と携帯電話の２つ動作モードを有する移動体通信端末およびＳＩＭカードについて、図を参照しながら詳細に説明する。図１は、本発明に係る移動体通信端末で、デジタル放送受信機を備えた携帯電話であるデジタル放送電話１０のブロック図である。図１に示したように、デジタル放送電話１０には、デジタル放送電話１０を携帯電話として使用するときに、基地局３０と電波の送受信する電話用アンテナ１１０ａと、電話用アンテナ１１０ａで受信した電波をデジタル変復調する電話用ＲＦ回路１３０と、デジタル放送電話１０でデジタル放送を受信するときに、電波塔４０からの電波を受信する放送用アンテナ１１０ｂと、放送用アンテナ１１０ｂで受信した電波をデジタル復調する放送用ＲＦ回路１４０と、デジタル放送電話１０を制御するコントローラ１００と、デジタル放送電話１０に内蔵されるＳＩＭカード２０を制御するＳＩＭコントローラ１２０と、デジタル放送電話１０のユーザが動作モードの切替えや、電話番号を入力するなどの操作を行う操作ボタン１５０と、インターネットの画面やデジタル放送の映像を表示するディスプレイ１６０と、デジタル放送電話１０を携帯電話として使用するときに音声データを入力するマイク１８０と、通話や映像の音声データを出力するスピーカ１７０と、ディスプレイ１６０およびスピーカ１７０で出力されるデータを外部に出力する外部出力回路１９０と備えている。
【００１４】
図１に示したデジタル放送電話１０を携帯電話として使用するときは、電話用アンテナ１１０ａは、基地局３０と携帯電話用の無線通信帯（例えば、８００ＭＨｚ帯や１．５ＧＨｚ帯）の電波を送受信する。電話用ＲＦ回路１３０は、電話用アンテナ１１０ａが基地局３０と送受信する電波をデジタル変復調する回路で、基地局３０に電波を送信するときは、マイク１８０から入力され、コントローラ１００でエンコードされた音声データを所定の方式でデジタル変調し、デジタル変調された電波が電話用アンテナ１１０ａを利用して基地局３０に送信される。基地局３０から電波を受信するときは、電話用ＲＦ回路１３０は、電話用アンテナ１１０ａが基地局３０から受信した電波を所定の方式でデジタル復調し、デジタル復調されたデータがコントローラ１００でデコードされた後、スピーカ１７０で出力される。
【００１５】
デジタル放送電話１０でデジタル放送を受信するときは、電波塔４０から送信さるデジタル放送用の無線通信帯の電波を受信する。放送用ＲＦ回路１４０は、放送用アンテナ１１０ｂが受信した電波をデジタル復調し、放送用ＲＦ回路１４０でデジタル復調されたデータはコントローラ１００でデコードされた後、ディスプレイ１６０・スピーカ１７０で出力される。
【００１６】
デジタル放送電話１０に備えられたコントローラ１００とは、操作ボタン１５０の操作状況に応じて、デジタル放送電話１０全体を制御する手段で、ユーザの操作によって携帯電話の機能とデジタル放送受信機の機能を切替えたり、受信したデータを所定の方式（例えば、デジタル放送ならばＭＥＰＧ−４）でデコードし、デコードしたデータをディスプレイ１６０・スピーカ１７０などに出力する機能などを備えている。
【００１７】
本実施の形態において、デジタル放送受信機と携帯電話のいずれかの動作モードにデジタル放送電話１０を設定する手段は、デジタル放送電話１０に備えられた操作ボタン１５０とコントローラ１００によって実現されている。操作ボタン１５０によって、デジタル放送電話１０の動作モードがデジタル放送受信機に設定されると、コントローラ１００に動作モードを示す情報が記憶されるとともに、電波をデジタル復調する回路を放送用ＲＦ回路１４０に設定したり、デジタル復調したデータのデコード方式をデジタル放送用のデコード方式に設定したりするなどして、デジタル放送電話１０の動作モードはデジタル放送受信機としての機能を果たす動作モードに設定される。また、同様に、操作ボタン１５０によって、デジタル放送電話１０の動作モードが携帯電話に設定されると、コントローラ１００には、動作モードが携帯電話に設定されたことを示すデータが記憶される。
【００１８】
本実施の形態において、デジタル放送電話１０は、デジタル放送受信機または携帯電話として動作するために、デジタル放送を受信するときに使用されるデジタル放送アプリケーションと、携帯電話として使用するときに使用される携帯電話アプリケーションとを備えたＳＩＭカード２０を装着する。デジタル放送電話１０に装着されたＳＩＭカード２０のそれぞのアプリケーションはＳＩＭコントローラ１２０によって切替えられる。
【００１９】
図２は、デジタル放送電話１０に装着されるＳＩＭカード２０を説明するための図である。図２はＳＩＭカード２０の外観図で、ＳＩＭカード２０は、ＩＣカードのＩＣモジュール２０ａ周辺を約１１．５ｍｍ×２５ｍｍ状に切り取った形状をしており、ＳＩＭカード２０の詳細な形状はＧＳＭ（Ｇlobal Ｓystem for Ｍobile communications）規格等で規格化されている。
【００２０】
図３は、図２で示したＳＩＭカード２０に格納されるアプリケーションを説明するための図である。図３に示したように、ＳＩＭカード２０には、デジタル放送電話１０が携帯電話として動作するために必要なプログラム・データなどが記憶された携帯電話アプリケーション２００と、デジタル放送電話１０がデジタル放送を受信するために必要なプログラム・データが記憶されたデジタル放送アプリケーション２１０の２つのアプリケーションを格納している。
【００２１】
ＳＩＭカード２０に格納された携帯電話アプリケーション２００とは、第３次携帯電話に内蔵されるＳＩＭカード２０と同じ機能を有したアプリケーションで、この携帯電話アプリケーション２００には、デジタル放送電話１０とＳＩＭカード２０とが相互認証するプログラム２０１（例えば、ＰＫＩを利用した認証プログラム、PKI:Public Key Infrastructure）や、携帯電話の回線契約内容を示すデータ２０２（例えば、携帯電話番号）・電話帳２０３などのデータが記憶される。
【００２２】
ＳＩＭカード２０に格納されたデジタル放送アプリケーション２１０とは、デジタル放送受信機に内蔵されるＢ−ＣＡＳカードと同じ機能を有したアプリケーションで、デジタル放送電話１０とＳＩＭカード２０とが相互認証するプログラム２１１、デジタル放送の視聴者を特定するためのＩＤデータ２１２、電波塔４０からデジタル放送電話１０に暗号化されて送信されるコンテンツデータを復号するためのマスター鍵２１３などが記憶されている。
【００２３】
図１に示したデジタル放送電話１０に備えられたＳＩＭコントローラ１２０は、デジタル放送電話１０の動作モードに応じて、ＳＩＭカード２０に格納されたそれぞれのアプリケーションを切替えて実行する手段である。ＳＩＭコントローラ１２０は、コントローラが保持している動作モードを示すデータを参照して、ＳＩＭカード２０に格納されたアプリケーションの中から、動作モードに対応したアプリケーションを選択し実行する。
【００２４】
すなわち、ユーザがデジタル放送電話１０の動作モードを携帯電話に設定すると、携帯電話に設定した内容がコントローラ１００の動作モードを示すデータに反映される。そして、ＳＩＭコントローラ１２０はコントローラ１００からの指示に従いこのデータの内容を参照し、ＳＩＭカード２０に格納されている携帯電話アプリケーション２００を実行する。携帯電話アプリケーション２００が実行されると、例えば、携帯電話番号２０２を読み出すことで、基地局３０とデジタル放送電話１０との端末回線が確保され、ユーザは携帯電話の機能を利用することが可能となる。
【００２５】
また、ユーザがデジタル放送電話１０の動作モードをデジタル放送の受信に設定すると、デジタル放送の受信に設定した内容がコントローラ１００の動作モードを示すデータに反映される。そして、ＳＩＭコントローラ１２０はコントローラ１００からの指示に従いこのデータの内容を参照し、ＳＩＭカード２０に格納されているデジタル放送アプリケーション２１０を実行する。デジタル放送アプリケーション２１０が実行されると、例えば、マスター鍵２１３を利用して、電波塔４０から暗号化された状態で送信されるコンテンツが復号され、ユーザはデジタル放送の映像をディスプレイ１６０などで閲覧することができる。
【００２６】
図１に示したデジタル放送電話１０に備えられた外部出力回路１９０は、ディスプレイ１６０に表示される映像・画像データやスピーカ１７０に出力される音声データを外部装置（例えば、テレビジョン）に出力する回路である。ユーザが操作ボタン１５０を操作することで、コントローラ１００の指示に従い、映像・画像データや音声データが外部出力回路１９０から外部装置に出力される。
【００２７】
図４は、デジタル放送電話１０に備えられた外部出力回路１９０の使用例を示した一例である。図４に示したように、デジタル放送電話５０はスタンド５１に設置され、デジタル放送電話５０の外部出力回路とモニター５２とは外部接続用ケーブル５３を介して接続される。図４に示した構成にて、ユーザは、デジタル放送電話５０で受信したデジタル放送を、デジタル放送電話５０に備えられたディスプレイよりも画面サイズの大きいモニター５２で閲覧することができるばかりか、自宅にデジタル放送受信機を設置する必要がなくなる。
【図面の簡単な説明】
【００２８】
【図１】本発明に係るデジタル放送電話のブロック図。
【図２】ＳＩＭカードの外観図
【図３】ＳＩＭカードに格納されるアプリケーションを説明する図。
【図４】デジタル放送電話に備えられた外部出力回路の使用例を示した一例。
【符号の説明】
【００２９】
１０  デジタル放送電話
１００  コントローラ
１１０ａ  電話用アンテナ
１１０ｂ  放送用アンテナ
１２０  ＳＩＭコントローラ
１３０  電話用ＲＦ回路
１４０  放送用ＲＦ回路
１５０  操作ボタン
１６０  ディスプレイ
１７０  スピーカ
１８０  マイク
１９０  外部出力回路
２０  ＳＩＭカード
２００  携帯電話用アプリケーション
２１０  デジタル放送用アプリケーション
【図１】
2006238247.tif 000003
【図２】
2006238247.tif 000004
【図３】
2006238247.tif 000005
【図４】
2006238247.tif 000006